(57)【要約】【課題】端末装置においてキーボードやマウス等による入力操作をしている際にも、音声データまたは動画像データの再生制御操作が可能なことを特徴とする、再生制御システムの提供。【解決手段】音声または動画像再生機能を備える端末装置を含み構成される再生システムにおいて、音声データまたは動画像データを再生する再生ソフトウェアが端末装置に備えられ、端末装置に接続されて、再生制御を行うフットペダルが備えられ、再生ソフトウェアが備える音声または動画像の再生制御機能に対応して、フットペダルのペダル操作に再生制御機能のオン・オフ機能が割り当てられる。【選択図】　図１
2004078736.tif 000002
【特許請求の範囲】
【請求項１】
音声データまたは動画像データを再生する再生ソフトウェアが備えられ、音声または動画像再生機能を備える端末装置を含み構成される再生システムにおいて、
端末装置に接続されて、再生制御を行うフットペダルが備えられ、
再生ソフトウェアが備える音声または動画像の再生制御機能に対応して、フットペダルのペダル操作に再生制御機能のオン・オフ機能が割り当てられ、
端末装置においてキーボードやマウス等による入力操作をしている際にも、音声データまたは動画像データの再生制御操作が可能なことを特徴とする、再生制御システム。
【請求項２】
請求項１に記載の発明において、
前記のフットペダルは、シリアルインターフェース、ＵＳＢインターフェース、ＩＥＥＥ１３９４インターフェース、ブルートゥースその他の無線通信インターフェースのいずれかにより端末装置に接続されて、入力信号の伝送を行うことを特徴とする、再生制御システム。
【請求項３】
請求項１または２に記載の発明において、
前記のフットペダルは、入力信号のオン・オフを行うペダルが複数備えられたものであることを特徴とする、再生制御システム。
【請求項４】
請求項１〜３に記載の発明において、
ペダル操作に割り当てられる再生ソフトウェアの再生制御機能には、再生スタート、再生ストップ、再生一時停止、再生速度の調整、再生音量・音質の調整、巻き戻し再生、早送り再生、繰り返し再生の内の少なくともいずれかが含まれることを特徴とする、再生制御システム。
【請求項５】
請求項１〜４に記載の発明において、
ペダル操作に割り当てられる再生ソフトウェアの再生制御機能は、端末装置を操作するユーザーが割り当てることが可能にされたことを特徴とする、再生制御システム。
【請求項６】
請求項１〜５に記載の発明において、
前記の再生ソフトウェアは、インターネットその他の通信手段に接続されたサーバシステムその他の記憶手段に記憶された音声データまたは動画像データを、ストリーミング再生可能なことを特徴とする、再生制御システム。
【請求項７】
請求項１〜６に記載の発明において、
前記の再生制御システムが備える端末装置には、音声再生ソフトウェアと、音声データを反訳した文字データを編集し記憶する機能を備えるエディタソフトウェアが備えられ、
音声データを再生する機能と、音声データを反訳した文字データを編集し記憶する機能とを少なくとも備えたデジタル速記システムであることを特徴とする、再生制御システム。
【発明の詳細な説明】
【０００１】
【発明の属する技術分野】
本発明は、音声データまたは動画像データを再生する再生ソフトウェアを備える端末装置に接続されて、再生制御を行うフットペダルが備えられ、再生ソフトウェアが備える音声または動画像の再生制御機能に対応して、フットペダルのペダル操作に再生制御機能のオン・オフ機能が割り当てられ、端末装置においてキーボードやマウス等による入力操作をしている際にも再生制御操作が可能な再生制御システムに関する。
【０００２】
【従来の技術】
従来、パーソナルコンピュータなどのコンピュータ端末装置の入力において、マウス、キーボードが代表的な入力手段として知られている。
たとえば、文字等の入力にはキーボードが主として用いられ、メニュー等の選等や、各機能等の選択あるいは切り替えには、マウス等によりプログラムのウィンドウに表示されるボタンなどのユーザーインターフェースをクリック等することにより操作が行われている。
【０００３】
【発明が解決しようとする課題】
しかしながら、キーボードもマウスも、いずれも手で操作を行うことを前提としており、いずれかの入力手段により操作をしているときには、他の操作を同時にすることができない。
したがって、複数のアプリケーションプログラムを同時に起動して、同時並行して操作を行っている場合にも、実際には同時並行ではなく、一つの操作を終了させて、また別の操作を開始しなければならないことが不可避であった。
【０００４】
そこで、手以外の操作による入力手段が開発されている。
たとえば、特開平１０−９７３７９「フットマウス」によれば、足で操作するマウスが提案されている。
この発明は、詳細が記載されてはいないものの、マウスの使用例としては、ボウル１を左足で回しコンピュータの画面のポインターを目的の場所まで移動させ、ペダル２を右足でクリックするとされているように、従来の手で行うマウス操作を足での操作に置き換えただけのものである。
したがって、たとえば手が不自由である場合などには重宝する。しかしながら、従来手で行っていたものと同様の操作を足で行うように置き換えただけであるために、フットマウスで操作をしている間に、他の操作を行うようには想定されていない。
フットマウスで画面のポインターの移動や選択などの操作をしながら、手ではポインターに別の指令を与えることはできないためである。
したがって、同時並行して操作を行うことは実際にはできず、一つの操作を終了させて、また別の操作を開始しなければならないことが不可避であった。
【０００５】
また、特開平９−２３０９９４「ポインティング装置」においても、足による微細な位置指定ができるとともに、疲労の少ないポインティング装置が提案されている。
この発明は、操作者の一方の足に装着し、コンピュータにカーソルの位置の指定情報を出力する位置指定手段を備え、位置指定手段には、操作者の少なくとも一方の足の一部の上下方向への移動を検出する上下位置検出手段と、操作者の少なくとも一方の足の一部の左右方向への移動を検出する左右位置検出手段とを備えている。位置指定手段は、上下位置検出手段による上下位置情報に基づいてカーソルの上下位置を決定し、左右位置検出手段による左右位置情報に基づいてカーソルの左右位置を決定するようにしている。
したがって、上記の従来技術と同様に、この発明において提案されている内容も、コンピュータの表示画面上のカーソルの位置を指定するポインティング装置を操作者の一方の足に装着し、従来の手で行うマウス操作を足での操作に置き換えただけのものである。
したがって、例えば手が不自由である場合などには重宝する。しかしながら、従来手で行っていたものと同様の操作を足で行うように置き換えただけであるために、フットマウスで操作をしている間に、他の操作を行うようには想定されていない。
フットマウスで画面のポインターの移動や選択などの操作をしながら、手ではポインターに別の指令を与えることはできないためである。
したがって、同時並行して操作を行うことは実際にはできず、一つの操作を終了させて、また別の操作を開始しなければならないことが不可避であった。
【０００６】
また、特開２００２−１３２４２６「日本語入力オン／オフ切替システム」においては、日本語入力システムを備えるコンピュータに対し、インターフェースを介して接続された切替ペダルを用い、この切替ペダルが踏まれている状態が継続している間は、前記日本語入力システムのオフまたはオン状態を継続させる日本語入力オン／オフ切替システムが提案されている。
この発明においては、切替ペダルに、日本語入力のオン・オフという機能が割り当てられている。
したがって、画面上のカーソル位置を移動させて選択等を行うというマウス操作よりは機能を特化させて操作を簡単にし、ペダルの踏み込み、カーソル移動、選択・クリック等の操作という煩雑な段階を経ることなく、ペダル操作すなわち割り当て機能の実行ということが実現されている。
しかしながら、機能が特化されているために、日本語入力の補助機能としての用途しかなく、日本語入力とはまったく関係のない操作において応用することが不可能である。
【０００７】
そこで、本発明においては、上記の様々な問題を解決し、複数の作業を同時並行的に行うために真に有効な操作を行うことが可能な操作指示等の入力手段を提供することであり、より詳しくは、同時並行的に作業をするプログラムの一つとして音声や動画像の再生に適用可能にすることにより、時間の流れに沿って一つのプログラムを制御しつつ、他のプログラムでの処理を可能にすることにより、一つの操作を終了させないで再生制御をしながら、同時に他の作業や操作を可能にするシステムを提供することを目的とする。
【０００８】
特に、音声や動画像の再生と同時並行して、他の作業や操作を行う代表的なシステムの応用としては、動画像データの再生をしながら文書入力などの作業をしたり、音声データの再生をしながら他のアプリケーションプログラムによるデータ処理を行ったりする際の、再生制御システムなどに適用することができる。例えば資料を参照するために再生をしながら、再生の制御を行い、スピードを緩めたり、一時停止したり、戻ったりして参照しつつ、文書作成などの作業を手を休めずに行うことができるシステムを提供することを目的とする。また、文書の作成などの仕事をしながら、動画や音楽の再生などの娯楽を楽しむシステムを提供することもできる。
【０００９】
さらに、速記反訳の業務では、昨今、会議の開始から発言内容の文字化データの完成までの短納期化が強く求められ続けている。
そこで、本発明においては、上記の課題を解決し、音声や動画像の再生と同時並行して、再生される音声データの速記反訳を行い、その結果を入力して編集するデジタル速記システムにおいて、作業を手を休めずに行うための再生制御システムを提供することを目的とする。
【００１０】
【課題を解決するための手段】
上記課題を解決するため、請求項１に記載の発明においては、
音声データまたは動画像データを再生する再生ソフトウェアが備えられ、音声または動画像再生機能を備える端末装置を含み構成される再生システムにおいて、端末装置に接続されて、再生制御を行うフットペダルが備えられ、
再生ソフトウェアが備える音声または動画像の再生制御機能に対応して、フットペダルのペダル操作に再生制御機能のオン・オフ機能が割り当てられ、
端末装置においてキーボードやマウス等による入力操作をしている際にも、音声データまたは動画像データの再生制御操作が可能な、再生制御システムであることを特徴としている。
【００１１】
また、上記課題を解決するため、請求項２に記載の発明においては、
請求項１に記載の発明において、
前記のフットペダルは、シリアルインターフェース、ＵＳＢインターフェース、ＩＥＥＥ１３９４インターフェース、ブルートゥースその他の無線通信インターフェースのいずれかにより端末装置に接続されて、入力信号の伝送を行う、再生制御システムであることを特徴としている。
【００１２】
また、上記課題を解決するため、請求項３に記載の発明においては、
請求項１または２に記載の発明において、
前記のフットペダルは、入力信号のオン・オフを行うペダルが複数備えられた、再生制御システムであることを特徴としている。
【００１３】
また、上記課題を解決するため、請求項４に記載の発明においては、
請求項１〜３に記載の発明において、
ペダル操作に割り当てられる
再生ソフトウェアの再生制御機能には、再生スタート、再生ストップ、再生一時停止、再生速度の調整、再生音量の調整、巻き戻し再生、早送り再生、繰り返し再生の内の少なくともいずれかが含まれる、再生制御システムであることを特徴としている。
【００１４】
また、上記課題を解決するため、請求項５に記載の発明においては、
請求項１〜４に記載の発明において、
ペダル操作に割り当てられる再生ソフトウェアの再生制御機能は、端末装置を操作するユーザーが割り当てることが可能にされた、再生制御システムであることを特徴としている。
【００１５】
また、上記課題を解決するため、請求項６に記載の発明においては、
請求項１〜５に記載の発明において、
前記の再生ソフトウェアは、インターネットその他の通信手段に接続されたサーバシステムその他の記憶手段に記憶された音声データまたは動画像データを、ストリーミング再生可能な、再生制御システムであることを特徴としている。
【００１６】
また、上記課題を解決するため、請求項７に記載の発明においては、
請求項１〜６に記載の発明において、
前記の再生制御システムが備える端末装置には、音声再生ソフトウェアと、音声データを反訳した文字データを編集し記憶する機能を備えるエディタソフトウェアが備えられ、
音声データを再生する機能と、音声データを反訳した文字データを編集し記憶する機能とを少なくとも備えた、再生制御システムであることを特徴としている。
【００１７】
【発明の実施の形態】
以下、本発明の実施の形態について図面を参照して説明する。
本発明の再生制御システムは、音声または動画像再生機能を備える端末装置を含み構成される再生システムにおいて、音声データまたは動画像データを再生する再生ソフトウェアが端末装置に備えられたシステムにおいて実現されるものである。
図１は、本発明の再生制御システムの基本的な構成を示すブロック図である。図１において、符号１は端末装置、２はフットペダルを示している。
【００１８】
図１に示されるように、端末装置１に接続されて、再生制御を行うフットペダル２が備えられている。
端末装置１とフットペダル２とは、シリアルインターフェース、ＵＳＢインターフェース、ＩＥＥＥ１３９４インターフェース、ブルートゥースその他の無線通信インターフェースのいずれかにより接続されて、入力信号の伝送を行うことが可能にされている。
フットペダルは、入力信号のオン・オフを行うペダルが複数備えられることが望ましく、例えば両足に対応する２つのペダル、あるいはそれ以上のペダルにより構成される。ペダルの形状や構造は、オン・オフの操作が可能であれば特に問わないが、自動車のアクセルやブレーキペダルのように踏み込み式によりスイッチのオン・オフの切り替えが行われ、その信号が伝送される形態であることが望ましい。
【００１９】
再生制御システムの端末装置は、音声データや動画像データの再生ソフトウェアを備えている。
音声データのデータ形式には様々な形式を採用することができ、リアルタイムまたはそれに近いタイミングで反訳を行うためにはストリーミング配信、再生が可能なデータ形式を用いる。また、音声データを含む動画像データ、スライドショウデータ、テレビ電話やテレビ会議等の中継データを含むこともできる。
音声データまたは動画像データの再生機能は、端末装置が備える再生ソフトウェアにより行われ、ストリーミング再生に対応していることが望ましい。音声や動画像の再生ソフトウェアは、ストリーミング再生のほか、音声データを端末装置の記憶手段にダウンロードして記憶し、必要に応じ反訳システムにおいて操作により再生や停止、繰り返し再生、再生スピード調節、その他の再生制御が可能にされていることが望ましい。これらの再生制御は、端末装置が備えるマウス、キーボードなどの入力手段により再生ソフトウェアの操作によって行うことができるほか、手での操作を必要としないフットペダルなどの再生制御手段（再生制御機器）を端末装置に接続して備えることにより用いることができる。
【００２０】
次に、再生制御システムの端末装置は、オペレーティングシステム（ＯＳ）のほか、文書等の編集ソフトウェア（例えばワードプロセッサやエディタソフトウェア等）、その他のアプリケーションプログラムを搭載することができ、再生ソフトウェアによる再生制御はフットペダルを利用して行えるように構成されているために、再生をしなが反訳入力・編集処理、その他の処理を同時並行して行うことができる。
代表的な望ましい形態の一例を挙げれば、音声データを再生しながら、再生される音声データの反訳を行い、その結果を編集するためのエディタソフトウェア等により、テキストデータの入力・編集を行うような形態である。エディタソフトウェアにより編集される反訳データ（テキストデータ）は、反訳システムの端末装置が備えるハードディスクなどの記憶手段に記憶される。
この他にも、動画像データの再生をしながら文書入力等の作業をしたり、音声データの再生をしながら他のアプリケーションプログラムによるデータ処理を行ったりする際に、再生の制御をすることができる。
【００２１】
次に、再生制御に割り当てられる機能について説明する。
（反訳用）再生ソフトウェアは、音声または動画像の再生制御機能を備えており、再生スタート、再生ストップ、再生一時停止、再生速度の調整、再生音量・音質の調整、巻き戻し再生、早送り再生、繰り返し再生等がその一例として挙げられる。
これらの制御は、通常であれば図１０に示すように、再生ソフトウェアが備えるユーザーインターフェースにおいて、再生ボタン、停止ボタン、一時停止ボタン等を、キーボードあるいはマウス等により指定してクリックすることにより操作が行われる。また音量・音質調整にはつまみボタンの位置をマウス等を用いて移動したりすることが必要とされる。
【００２２】
本発明においては、上記の操作をすることなく再生制御を可能とするように、再生ソフトウェアが備える音声または動画像の再生制御機能に対応して、フットペダルのペダル操作に再生制御機能のオン・オフ機能が割り当てられている。
ペダル操作に割り当てられる再生ソフトウェアの再生制御機能には、再生スタート、再生ストップ、再生一時停止、再生速度の調整、再生音量・音質の調整、巻き戻し再生、早送り再生、繰り返し再生等が含まれる。
ペダル操作への再生制御機能の割り当ては、再生ソフトウェアが備える、前記の各機能ボタン等の機能に一対一に対応して、ペダルとその操作種類を割り当ててる。ペダルが複数ある場合には、ペダルごとの区別と、そのペダルの操作種類ごとに、各機能を割り当てる。
ペダルのオン・オフの操作による信号は、伝送されて入出力インターフェースを介して端末装置の制御手段が、再生プログラムの各機能を制御するモジュール等に信号を渡すことにより、再生制御信号を受けて再生ソフトウェアが機能する。
【００２３】
最も単純なペダル操作への機能の割り当ては、ペダル１とペダル２の２つのペダルがあった場合において、ペダル１を踏み込むとオンになり、「再生」機能が割り当てられており、ペダル１を離すとオフになり、「停止」機能が割り当てられるような例である。
また、一つのペダルにも、踏み込み方などにより複数の機能を割り当てることができる。たとえば軽く踏んだ場合には「一時停止」をし、深く踏み込んだ場合や、あるいは一定時間踏み込んだ場合などには「停止」をするようにすることもできる。またペダルスイッチの構造上、一度深く踏み込んだら足をペダルから離しても、踏み込まれた状態を維持するようにしてオン状態を続けるように構成することもできる。
さらに、複数のペダル操作の組み合わせにより機能を割り当てることができ、例えば、ペダル１をオンにして再生している状態でペダル２を踏んでオンにすれば「早送り」、ペダル１をオフにした状態でペダル２だけを踏んでオンにすれば巻き戻し、等のペダル操作への機能割り当てをすることができる。
【００２４】
なお、上記のペダル操作への機能の割り当ては一例であって、ペダルの構成や、ペダルの数などにより、再生ソフトウェアに対応する様々な機能の割り当てをすることができる。
さらに、ペダル操作に割り当てられる再生ソフトウェアの再生制御機能は、端末装置を操作するユーザーが割り当てることが可能にすることもできる。
【００２５】
以上の構成により、本発明の再生制御システムが実現されるが、従来のフットペダルにおいてはいずれも、入出力の切り替えなどの、マウスで行われる機能をフットペダルに割り当てていただけであったために、フットペダルの操作の際にはマウス等の入力手段による入力が中断してしまうという問題を解決した。
したがって、端末装置においてキーボードやマウス等による入力操作をしている際にも、音声データまたは動画像データの再生制御操作が可能な再生制御システムを実現することができる。
【００２６】
【実施例】
このため、本発明の再生制御システムを用いれば、動画像データの再生をしながら文書入力などの作業をしたり、音声データの再生をしながら他のアプリケーションプログラムによるデータ処理を行ったりする際に、再生の制御をすることができる。したがって、資料を参照するために再生をしながら、再生の制御を行い、スピードを速めたり緩めたり、一時停止したり、戻ったりして参照しつつ、文書作成などの作業を手を休めずに行うことができる。
また、文書の作成等の仕事をしながら、動画や音楽の再生等を楽しむこともできる。
【００２７】
以下、実施例の代表的な形態の一例としては、音声データを再生しながら、再生される音声データの反訳入力を行い、その結果を編集するためのエディタソフトウェア等により、テキストデータの入力・編集を行うデジタル速記システムを例に、処理の形態を説明する。
本実施例においては、再生制御システムが備える端末装置には、音声再生ソフトウェアと、音声データを反訳し文字化したデータを編集し記憶する機能を備えるエディタソフトウェアが備えられている。
音声データを再生する機能と、音声データを反訳した文字データを編集し記憶する機能とを備えている。
【００２８】
デジタル速記システムにおいて、本発明の再生制御システムを応用する場合には、第１には、スタンドアロン形式で備えられた端末装置において、音声データを再生させながら反訳入力・編集作業を行うことができる。
デジタル速記システムにおいて、本発明の再生制御システムを応用する第２の形態は、音声データをサーバシステムから、インターネット・イントラネットに代表される通信手段を介してダウンロードして、端末装置において再生をさせながら反訳入力・編集を行い、そのデータをサーバシステムに送信するデジタル速記システムである。端末装置の再生ソフトウェアは、インターネットその他の通信手段に接続されたサーバシステムその他の記憶手段に記憶された音声データまたは動画像データを、ストリーミング再生可能にされていることが望ましい。
さらに第３の形態は、サーバシステムに記憶される音声データは、取材現場から録音された音声データを受信して記憶し、さらに反訳現場の端末装置において、録音されている音声データをストリーミング再生することにより、遠隔地で開催されている会議の録音による音声データをリアルタイムに近いタイミングで再生させながら、反訳データを入力・編集が可能な形態である。
なお、速記反訳の作業以外の様々なデータ処理において、本発明のフットペダルを用いた再生制御システムが利用可能なことはいうまでもない。
【００２９】
取材現場と、サーバシステムと、再生制御システムを備えた反訳現場とから構成される、デジタル速記システムの第３の形態についてここでは説明する。
本発明の再生制御システムを利用したデジタル速記システムは、音声データの取材現場に備えられる録音速記システムと、録音速記システム及び反訳システムとの間でデータ送受信を行うとともにデータ管理を行うサーバシステムと、取材現場において録音された音声データの反訳をする反訳システムとから構成される。
図２は、本発明の実施例の基本的な構成の一例を示すシステム構成図である。
本システムは速記にかかわる取材現場（録音）、管理サーバ（蓄積・配信）、反訳現場（入力）の３つの工程をデジタル化し時間的、経済的な効率を上げコストの削減を図るとともに、デジタルデータとしてのメリットを生かし、顧客のニーズに合った新たなサービスを展開するものである。
【００３０】
前記の録音速記システムは、音声録音装置を備える端末装置を含み構成される。取材現場での音声を録音し記憶する機能と、録音された音声データをサーバシステムに送信する機能とを備えている。
録音速記システムは、会議、講演、その他の速記が必要な音声取材現場に設けられるものであり、マイク等の音声録音装置を備えるパーソナルコンピュータ、携帯情報端末、その他のインターネットやイントラネットに代表される通信手段を介してサーバシステムにアクセス可能な端末装置を含み構成される。
図３は、録音速記システムの基本的な構成を示すブロック図であり、マイク等の音声録音装置と端末装置とから構成されている。端末装置は、ディスプレイなどの表示手段、ハードディスクやメモリなどの記憶手段、インターネット等の通信手段に接続しデータの送受信を行うためのデータ送受信手段、これらを制御する制御手段などを含み構成されている。
録音を行う端末装置のクライアント機能としては、マイク等から入力されるデータをデジタル形式でパソコンに取り込み、録音したデータをサーバに送信する機能を有する。担当者が現地に赴きＩＣレコーダやノート型パソコン等の機器を利用し直接デジタル形式で録音したデータをサーバに送信することもできる。
【００３１】
また、録音速記システムは、録音された音声データをサーバシステムに送信する機能を備える。サーバシステムは、速記等の処理を請け負う企業等が備えるものであり、各取材現場で録音され収集される音声データを管理する管理サーバに送信する。
録音速記システムの端末装置は、録音した音声データのストリーミングによるサーバシステムへのデータ送信機能を備える。また、望ましくは端末装置ローカルにデータを保存する機能を備えることにより、ストリーミング送信機能・ローカルデータ保存機能を同時に使用することが可能にされる。
サーバシステムへの音声データの送信は、音声データをコンパクト型ノートパソコンに取り込み、取材現場に用意されているブロードバンド・インターネット回線、またはＰＨＳ回線を利用し、管理サーバへの情報伝送を行い、ロスタイムの最小化を図る。
【００３２】
次に、サーバシステムについて説明する。
サーバシステムは、一例としては録音業務や速記業務を受託する企業等の本社などに設けられ、望ましくは大容量の音声情報サーバを設置し、反訳用音声データの蓄積及び管理をするとともに反訳者向けの配信運用機能を持たせる。取材現場から送信されてきた音声データ、あるいは顧客から送信されてきた会議等に関する音声データ等を蓄積・管理し、アクセス権を持った反訳者であるユーザーにのみ、音声データ・顧客情報・会議情報等にアクセスを許可するものである。
【００３３】
図４は、サーバシステムの基本的な構成を示すブロック図である。
サーバシステムは、録音速記システムから送信された音声データを記憶する音声データ記憶手段を備えている。
音声データ記憶手段は、録音速記システムから送信された音声データを記憶する。音声データのデータ形式には様々な形式を採用することができ、リアルタイムまたはそれに近いタイミングで反訳を行うためにはストリーミング配信、再生が可能なデータ形式を用いる。また、音声データを含む動画像データ、スライドショウデータ、テレビ電話やテレビ会議等の中継データを含むこともできる。
音声データは、様々な取材現場から送信されたデータを記憶することができるので、会議名や会場、取材日時、その他の取材現場を識別するデータ（例えば現場取材ＩＤ）と関連付けられて記憶される。
【００３４】
サーバシステムは、１または複数の反訳システムからのアクセスを認証する認証手段を備えている。
サーバシステムが備える認証手段は、反訳システムのユーザー情報を記憶するユーザー情報記憶手段と、音声データを録音する取材現場の顧客情報・会議情報等を記憶する現場取材記憶手段とを参照して、該当する取材現場について該当するユーザーのアクセス権の認証を行う。
ユーザー情報記憶手段は、反訳業務を行うユーザーに関するデータを記憶するものであり、氏名、年齢、電子メールアドレスなどの個人情報や、ＩＤ、パスワードなどの認証情報を登録することにより、これらの情報を記憶する。利用者情報は、サーバシステムに記憶されるデータへのアクセス権の認証時に用いられる。
【００３５】
次にサーバシステムは、反訳システムから送信された反訳データを記憶する反訳データ記憶手段を備えている。
反訳データ記憶手段は、反訳システムから送信された、音声データに対応する反訳データを記憶する。反訳データのデータ形式には様々な形式を採用することができるが、通常はテキストファイルなどであり、その他にもワードプロセッサ等のデータ形式を用いることができる。
反訳データは、複数の反訳システムから送信されたデータを記憶することができるが、後述するように、１単位の仕事を複数の反訳システムにおいて分担して作業を行うことができるので、この場合には、１単位の仕事にかかわる反訳システム間で反訳データを共有可能にされることが望ましい。反訳データは、音声データに対応して、取材現場を識別するデータ（例えば現場取材ＩＤ）と関連付けられて記憶される。
【００３６】
次に、サーバシステムは、録音速記システム及び反訳システムとの間でデータ送受信を行う制御を行う送受信制御手段を備えている。
録音速記システムから送信される音声データは、音声データ記憶手段に記憶されていく。
また、サーバシステムにアクセスし該当する録音データを、例えば現場取材ＩＤ等により指定して配信要求をした反訳システムに対し、音声データを送信する制御を行う。ストリーミング配信形式を採用した場合には、音声データ記憶手段に記憶するとともに、逐次、反訳システムに音声データの送信を行う。
【００３７】
また、送受信制御手段は、反訳システムから送信されるテキストデータなどの反訳データを、反訳データ記憶手段に記憶する。
また、サーバシステムにアクセスし、該当する録音の反訳データ、例えば反訳作業中のデータや、バックアップされたデータ等の配信要求をした反訳システムに対し、反訳データを送信する制御を行う。
さらに、後述するように、１単位の仕事を、複数の反訳システムにおいて分担して行う際に、１単位の仕事にかかわる反訳システム間で反訳データを共有可能にされる場合において、共有される最新のデータをサーバシステムで管理するためには、反訳作業中に作業中の各反訳システムとサーバシステムとが接続されている状態で、常に最新のデータに更新されデータの整合性を保つように制御される。
なお、１単位の仕事の反訳データを反訳システム間で共有可能にされる場合において、サーバシステムには接続せずに、作業中の各反訳システム同士が接続されている状態で、常に最新のデータに更新されデータの整合性を保つように制御させることもできる。
【００３８】
次に、反訳システムについて説明する。
図５は、反訳システムの基本的な構成を示すブロック図である。
反訳システムは、アクセス権を持った反訳者であるユーザーが、音声データを受信して再生させつつ、反訳を行うためのシステムであり、イントラ・インターネット等の通信手段を介して本社等に設けられたサーバシステムから音声データ・顧客情報・会議情報などを取得し、反訳入力を行う。
反訳システムは、音声再生機能を備える端末装置を含み構成され、取材現場での音声を再生する機能と、音声データを反訳した文字データを編集し記憶する機能と、入力された反訳データをサーバシステムに送信する機能とを備えている。
【００３９】
サーバシステムの送受信制御手段により送受信されるデータは、取材現場からの音声データの反訳現場への送信にストリーミング配信形式で送信を行い、録音から反訳までの作業工程に時間差が発生しないようにされることが望ましい。
反訳業務では、昨今、会議の開始からデータの完成までを、短時間化することが多く求められ続けている。取材現場、管理サーバ、反訳現場間でのデータ交換には標準のネットワークインフラであるブロードバンド・インターネット回線を利用することにより、これまでのテープ等の受け渡しによる時間的、経済的コストを削減する。
【００４０】
反訳システムが備える前記の音声再生機能は、端末装置が備える音声再生ソフトウェアにより行われ、ストリーミング再生に対応していることが望ましい。音声再生ソフトウェアは、ストリーミング再生のほか、音声データを端末装置の記憶手段にダウンロードして記憶し、必要に応じ反訳システムにおいて操作により再生や停止、繰り返し再生、再生スピード調節、その他の再生制御が可能にされていることが望ましい。
【００４１】
これらの再生制御において、反訳システムには、図１に示すような本発明の再生制御システムが備えられている。
端末装置が備えるマウス、キーボードなどの入力手段により操作することができるほか、手での操作を必要としないフットペダルなどの再生制御手段（再生制御機器）を端末装置に接続して備えている。
反訳作業において、フットペダルの使用も可能な反訳用再生ソフトや顧客情報表示システムを利用することにより、作業の効率化を図ることができる。
【００４２】
次に、反訳システムは、再生される音声データの反訳入力を行い、その結果を編集するための反訳データ編集ソフトウェアを備えている。代表的な望ましい形態によれば、反訳データ編集ソフトウェアは、エディタソフトウェアであり、テキストデータによる入力・編集を行う。
エディタソフトウェアにより編集される反訳データ（テキストデータ）は、反訳システムの端末装置が備えるハードディスクなどの記憶手段に記憶される。
【００４３】
エディタソフトウェアにより編集される反訳データ（テキストデータ）は、複数の反訳システムにおいて共有可能にすることができ、前述したように、１単位の仕事に対応して複数のオペレータが分担して作業をするためには必須であり、複数の反訳システム反訳入力・編集作業が行われる作業中において、反訳データの編集作業履歴が相互に反映されるようにすれば、データの不一致等が生じることを防ぐことができる。
すなわち、複数の反訳システムにおいて、エディタプログラムが処理を行う、それぞれの反訳システムにおいて反訳される反訳データが、複数の反訳システムにおいて共有される。
この場合には、複数の反訳システムにおいて共有される反訳データは、少なくともいずれかの反訳システムまたはサーバシステムにおいて、最新のデータが更新され記憶される。データの入力や編集による反訳データファイルの更新は、相互に接続される反訳システム間、またはサーバシステムを含む各システム間において更新を自動検知し、最新のデータに整合性が取られるように自動更新処理、自動バックアップ処理が行われることにより実現できる。
【００４４】
以下、本発明の基本的な処理の流れについて説明する。
図６、図７及び図８は、本発明の実施例の基本的な処理の流れの一例を示すフローチャートである。なお、ここに示す処理の流れは一例であって、これに限定されるものではない。
また、図９から図１３は、反訳システムの端末装置に表示される画面の一例である。
【００４５】
初めに、録音速記システムの処理について、図６を参照して説明する。
録音速記システムにおいて、録音・音声データ送信プログラムを起動する（Ｓ１００）。
録音速記システムの端末装置は、速記のための録音ソフトウェアを備えており、本ソフトウェアは、会議の取材現場において音声をデジタルで録音する。音声をデジタルデータとしてパソコンに取り込むことにより、後作業である反訳の段階で、さまざまな経済効果を得ることができる。同時に、ストリーミング技術の応用によって、取材現場から反訳作業までのタイムラグを無くし、短納期を求める顧客のニーズに合わせたサービスを展開するために必要な要件を満たしたソフトウェアである。
【００４６】
録音速記システムの端末においては、サーバシステムにアクセスし、接続を確立し（Ｓ１０１）、マイク等の音声録音装置により録音を開始する（Ｓ１０２）。
マイク等からパソコンに音声をデジタルで録音し、録音・送信処理が終了するまで、録音速記システムの端末装置において、録音プログラムによりストリーミング配信可能な音声データ形式にエンコードしつつ（Ｓ１０３）、録音速記システムの端末装置のハードディスク等に、音声データを記憶する（Ｓ１０４）。
また、録音速記システムの端末装置においても、音声を出力することにより録音中に再生を可能にすることが望ましい。録音時に音量や音質の調節を可能にするため、現在録音中の音声を２〜３秒程度後に確認できるように、録音しながら同時に再生を可能とすることにより、録音中の音声の収録状況を常にモニターしながら、かつ、録音後の音声を確認することによって録音を完全なものとし、さらに音質・音量の調整をすることができる。
【００４７】
録音速記システムから、録音された音声データをサーバシステムに送信する（Ｓ１０５）。前記の通り、ストリーミング配信可能なデータ形式で行うため、録音をしながら、録音データをローカルへ保存しつつ、サーバシステムへも同時にストリーミング形式でデータの送信を行う。
録音・送信処理が終了するまで、録音速記システムにおいては上記の処理を行う。
【００４８】
次に、サーバシステムにおける処理の流れについて図７を参照して説明する。
サーバシステムには、音声データ・反訳データ等を管理するためのサーバソフトウェアが備えられ、送受信されるデータの管理を行う。また取材現場、反訳現場との間でデータ送受信の処理の制御をする送受信制御手段が起動している（Ｓ２００）。
初めに、反訳システムとの間での処理について説明すると、反訳システムからのアクセスがあるか否かを認証手段が判定し（Ｓ２０１）、アクセスがあった場合には、反訳システムから送信されるユーザー情報、パスワードなどの認証情報を受信する（Ｓ２０２）。反訳システムからの認証情報に基づき、ユーザー情報記憶手段、現場取材記憶手段を参照し（Ｓ２０３）、認証を行い、認証ができなければアクセス権がないためにデータへのアクセスが許可されない。認証処理が正常に行われれば、データへのアクセス許可が認められる。
【００４９】
次に、録音取材現場との間での処理について説明する。
録音クライアントからの音声データ収集処理は、音声データを受信し（Ｓ２０４）、音声データの録音が行われている、該当する録音現場等を識別する（Ｓ２０５）。
受信した音声データを管理する機能をサーバシステムは備えており、録音・送信処理が終了するまでの間、録音取材現場を識別するデータと関連付けて、音声データ記憶手段に音声データを記憶する（Ｓ２０７）。
【００５０】
一方、認証処理を経た反訳システムに対しては、反訳に必要な音声データを送信するが、その他にも反訳に必要な資料情報の閲覧機能や、該当する録音取材現場に関するデータを送信する（Ｓ２０６）。
録音・送信処理が終了するまでの間、反訳システムに対し、音声データを送信する（Ｓ２０８）。録音・送信処理が終了するまで上記の処理を行う。
なお、反訳システムへの音声データの送信は、ストリーミング配信によりリアルタイムまたはそれに近いタイミングで送信することにより、直ちに反訳作業をすることができるほか、録音済のデータを後日送信したり、サーバシステムにバックアップされたデータを反訳システムからダウンロードしたりすることができるようにしてもよい。
次に、反訳システムから、反訳データを受信して（Ｓ２０９）、反訳データ記憶手段に、該当する録音取材現場のデータに関連付けて記憶する（Ｓ２１０）。
【００５１】
次に、反訳システムにおける処理の流れについて、図８を参照して説明する。
反訳システムの端末装置は、音声再生ソフトウェアを備えており、ソフトウェアには様々な再生ソフトウェアを利用することができるが、速記反訳に必要な各機能が実装されていることが望ましい。
【００５２】
初めに、反訳システムからサーバシステムにアクセスし（Ｓ３００）、図１０に一例を示すように、ユーザーがユーザーＩＤとパスワードなどの認証情報を入力し、反訳システムから認証情報を送信する（Ｓ３０１）。反訳システムからの認証情報に基づき、サーバシステムにおいてユーザー情報記憶手段、現場取材記憶手段を参照し（Ｓ３０２）、認証処理を行う。
反訳システムから、反訳を行う録音データの送信要求をサーバシステムに送信するが（Ｓ３０３）、好ましい一例としては、ユーザＩＤからユーザーの各種情報を取得して、担当する仕事情報をユーザの画面に表示するような形態である。該当する録音データ等を反訳システムの端末装置において受信して（Ｓ３０４）、ユーザ個別画面などにより、顧客名・会議名・担当者名等、反訳業務に必要なデータがユーザーに通知される。図９にユーザー個別画面の一例を示す。
【００５３】
次に、反訳作業をするために、音声データ再生ソフトウェア、反訳データ入力・編集ソフトウェアを起動する（Ｓ３０５）。
録音・送信処理が終了するまでの間、サーバシステムから音声データを受信し再生する。必要に応じ再生制御操作を行う（Ｓ３０６）。また、受信した音声データはハードディスクなどの記憶手段に記憶される（Ｓ３０７）。
音声データの再生と再生制御は、音声データを再生させるリンクが設置され、リンクをクリックすることにより音声の再生クライアントが立ち上がり、音声の再生が開始されるような形態が、簡易な操作のためには好ましい。図１０に再生ソフトウェアの画面の一例を示す。
再生ソフトウェアは、音声または動画像の再生制御機能を備えており、再生スタート、再生ストップ、再生一時停止、再生速度の調整、再生音質・音量の調整、巻き戻し再生、早送り再生、繰り返し再生等がその一例として挙げられる。
これらの制御は、通常であれば図１０に示すように、再生ソフトウェアが備えるユーザーインターフェースにおいて、再生ボタン、停止ボタン、一時停止ボタン等をマウス等により指定して操作をしたり、音量調整には音量つまみボタンの位置をマウス等を用いて移動したりすることができるが、本発明の再生制御システムによればこれらを用いなくても、フットペダル（キーボードを指定すること）により制御をすることができる。
【００５４】
ペダル操作に割り当てられている再生ソフトウェアの再生制御機能には、再生スタート、再生ストップ、再生一時停止、再生速度の調整、再生音量の調整、巻き戻し再生、早送り再生、繰り返し再生等であり、ペダルのオン・オフの操作による信号は、伝送されて入出力インターフェースを介して端末装置の制御手段が、再生プログラムの各機能を制御するモジュール等に信号を渡すことにより、再生制御信号を受けて再生ソフトウェアが機能する。
【００５５】
次に、反訳システムの端末装置は、反訳データ入力・編集ソフトウェアを備えており、ソフトウェアには様々な編集ソフトウェアを利用することができるが、速記反訳に必要な各機能が実装されているエディタソフトウェアであることが望ましい。
エディタソフトウェアは、望ましくはｐｅｅｒ−ｔｏ−ｐｅｅｒ型のネットワーク接続を使用し、各オペレータ同士で通信を行う。ネットワーク上の各エディタと通信を行い、オペレータが接続可能なグループ及び文書の一覧を取得することができる。図１２にグループ及び文書一覧の画面の一例を示す。
また、接続可能な文書の一覧は、特定のコンピュータ名を指定し、その上で動作しているエディタから取得することもできる。
【００５６】
初めに、前記のようにサーバシステムにアクセスし、ログイン画面からユーザーＩＤとパスワード等を入力し認証処理を行う。ユーザーＩＤからユーザーの各種情報を取得し、担当する仕事情報をユーザの画面に表示する。
認証が行われた反訳システムのオペレータの画面には、公開されている文書のうち、ユーザーが編集可能な反訳グループが表示される。また、他の接続先のグループに接続する場合は、接続先を指定してグループの情報を取得する。
グループ内の文書を編集するためには、反訳グループをリストから選択し、グループ内の文書一覧の文書名を選択する。選択時に、現在編集を行っているオペレータの一覧が表示される。
接続ボタンを押し、編集画面に文書の内容を表示させる。新規に文書を作成する場合には、新規作成ボタンを押すことにより表示されるダイアログ上でグループ及び文書、接続可能なユーザの設定を行う。
反訳データを入力し（Ｓ３０８）、反訳データを記憶手段に記憶し、作業に応じて適宜更新される（Ｓ３０９）。文書の編集は、テキストデータの編集に必要な機能（文字入力、コピー、切り取り、貼り付け、検索、置き換え等）を使用することができる。
最終的に編集がされた反訳データはサーバシステムに送信し（Ｓ３１０）、反訳データ記憶手段に記憶される。またサーバシステムへの送信と記憶は、随時または適宜行われるようにしてもよい。
【００５７】
【発明の効果】
以上、詳細に説明したように、本発明によれば、複数の作業を同時並行的に行うために真に有効な操作を行うことが可能な操作指示等の入力手段を提供することができ、同時並行的に作業をするプログラムの一つとして音声や動画像の再生に適用可能にすることにより、時間の流れに沿って一つのプログラムを制御しつつ、他のプログラムでの処理を可能にすることにより、一つの操作を終了させないで再生制御をしながら、同時に他の作業や操作を可能にするシステムを提供することができる。
特に、動画像データの再生をしながら文書入力などの作業をしたり、音声データの再生をしながら他のアプリケーションプログラムによるデータ処理を行ったりする際に、手を休めることなく同時並行で作業を進めることが可能な再生制御システムを提供することができる。例えば、資料を参照するために再生をしながら、再生の制御を行い、スピードを緩めたり、一時停止したり、戻ったりして参照しつつ、文書作成等の作業を手を休めずに行うことができる。また、文書の作成等の仕事をしながら、動画や音楽の再生などを楽しむこともできる。
さらに、本発明によれば、音声データを再生しながら、再生される音声データの速記反訳を行い、その結果を入力し編集するデジタル速記システムにおいて、作業を手を休めずに行うための再生制御システムを提供することができる。
【図面の簡単な説明】
【図１】本発明の再生制御システムの基本的な構成を示すブロック図である。
【図２】本発明の実施例の基本的な構成の一例を示すシステム構成図である。
【図３】録音速記システムの基本的な構成を示すブロック図である。
【図４】サーバシステムの基本的な構成を示すブロック図である。
【図５】反訳システムの基本的な構成を示すブロック図である。
【図６】本発明の実施例の基本的な処理の流れの一例を示すフローチャートである。
【図７】本発明の実施例の基本的な処理の流れの一例を示すフローチャートである。
【図８】本発明の実施例の基本的な処理の流れの一例を示すフローチャートである。
【図９】反訳システムの端末装置に表示される画面の一例である。
【図１０】反訳システムの端末装置に表示される画面の一例である。
【図１１】反訳システムの端末装置に表示される画面の一例である。
【図１２】反訳システムの端末装置に表示される画面の一例である。
【図１３】反訳システムの端末装置に表示される画面の一例である。
【図１】
2004078736.tif 000003
【図２】
2004078736.tif 000004
【図３】
2004078736.tif 000005
【図４】
2004078736.tif 000006
【図５】
2004078736.tif 000007
【図６】
2004078736.tif 000008
【図７】
2004078736.tif 000009
【図８】
2004078736.tif 000010
【図９】
2004078736.tif 000011
【図１０】
2004078736.tif 000012
【図１１】
2004078736.tif 000013
【図１２】
2004078736.tif 000014
【図１３】
2004078736.tif 000015